【手続補正書】
【提出日】平成16年6月18日(2004.6.18)
【手続補正１】
【補正対象書類名】明細書
【補正対象項目名】特許請求の範囲
【補正方法】変更
【補正の内容】
【特許請求の範囲】
【請求項１】
通信経路を介して端末デバイスとデータ網内のサービングノードとの間のトランザクションを管理するための方法であって、この方法が：
第一の接続を介して、前記の端末デバイスと第一のデータ網内のサービングノードとの間に最初の通信経路を設定するステップ；
前記トランザクションに対して、前記の第一のデータ網内の前記の第一の接続から第二のデータ網内の第二の接続へと接続される前記の通信経路を再構成するための情報を前記の第一のデータ網内の前記のサービングノードから受信するステップ；および
前記の第二の接続を介して、前記の端末デバイスを、前記の第二のデータ網内のサービングノードに自動的に接続するステップを含むことを特徴とするトランザクションを管理するための方法。
【請求項２】
前記の第一の接続から前記の第二の接続に、前記の通信経路を再構成することを指示する信号を認識するステップがさらに含まれることを特徴とする請求項１のトランザクションを管理するための方法。
【請求項３】
前記の第一および前記の第二のデータ網内の前記のサービングノードが、共通ノードとして具現されることを特徴とする請求項１のトランザクションを管理するための方法。
【請求項４】
前記の情報を受信するステップが、さらに、前記の通信経路の再構成を実現するステップを含むことを特徴とする請求項１のトランザクションを管理するための方法。
【請求項５】
前記の自動的に接続するステップが、前記の第二の接続を遂行する前に、前記の第一の接続を自動的に切断するステップを含むことを特徴とする請求項１のトランザクションを管理するための方法。
【請求項６】
ユーザの信号に応答して前記の第二の接続を自動的に切断するステップ；および
ユーザのインストラクションに応答して、前記の端末デバイスを、識別されたデータ網を介しての接続を遂行できるように再構成するステップがさらに含まれることを特徴とする請求項１のトランザクションを管理するための方法。
【請求項７】
前記の端末デバイスを自動的に再構成するステップが、前記の識別されたデータ網を介して、前記の接続の遂行を実行するステップを含むことを特徴とする請求項６のトランザクションを管理するための方法。
【請求項８】
通信経路を介して、端末デバイスとデータ網内のサービングノード間のトランザクションを管理するための方法であって、この方法が：
第一の接続を介して、前記のデバイスと第一のデータ網内のサービングノードとの間に、最初の通信経路を設定するステップ；
前記の第一のデータ網内の前記のサービングノードの所に提供される前記情報項目のデータベースから、少なくとも一つの情報項目を選択するステップ；
前記の第一の接続を介して、前記の選択された情報項目を前記の端末デバイスにダウンロードするステップ；
前記トランザクションに対して、前記の第一のデータ網内の前記の第一の接続から第二のデータ網内の第二の接続へと接続される前記の通信経路を再構成するための情報を前記の第一のデータ網内の前記のサービングノードから受信するステップ；および
前記の第二の接続を介して、前記の端末デバイスを、前記の第二のデータ網内のサービングノードに自動的に接続するステップを含むことを特徴とするトランザクションを管理するための方法。
【請求項９】
前記の第一の接続から前記の第二の接続に、前記の通信経路を再構成する信号を認識するステップがさらに含まれることを特徴とする請求項８のトランザクションを管理するための方法。
【請求項１０】
前記の第一および前記の第二のデータ網内の前記のサービングノードが共通ノードとして具現されることを特徴とする請求項８のトランザクションを管理するための方法。
【請求項１１】
前記の選択された情報項目をダウンロードするステップが
、さらに、前記の選択された情報項目を前記の端末デバイスの所に表示するステップを含むことを特徴とする請求項８のトランザクションを管理するための方法
。
【請求項１２】
前記の選択され表示された項目が前記の端末デバイスの所でユーザによって編集が可能なことを特徴とする請求項１１のトランザクションを管理するための方法。
【請求項１３】
前記の選択され表示された項目に対するディスプレイ特性が前記の端末デバイスの所で制御が可能なことを特徴とする請求項１１のトランザクションを管理するための方法。
【請求項１４】
前記の情報を受信するステップが、さらに、前記の通信経路の再構成を遂行するステップを含むことを特徴とする請求項８のトランザクションを管理するための方法。
【請求項１５】
前記の自動的に接続するステップが、前記の第二の接続を遂行する前に、前記の第一の接続を自動的に切断するステップを含むことを特徴とする請求項８のトランザクションを管理するための方法。
【請求項１６】
前記の自動的に接続するステップが、前記の選択された情報項目を前記の端末デバイスから前記のサービスプロバイダに前記の第二の接続を介してアップロードするステップを含むことを特徴とする請求項８のトランザクションを管理するための方法。
【請求項１７】
ユーザの信号に応答して、前記の第二の接続を自動的に切断するステップ；および
ユーザのインストラクションに応答して、前記の端末デバイスを、識別されたデータ網を介しての接続を遂行できるように再構成するステップがさらに含まれることを特徴とする請求項８のトランザクションを管理するための方法。
【請求項１８】
前記の端末デバイスを自動的に再構成するステップが、前記の識別されたデータ網を介して前記の接続の遂行を実行するステップを含むことを特徴とする請求項１７のトランザクションを管理するための方法。
【請求項１９】
通信経路を介して、端末デバイスとデータ網内のサービングノードとの間のトランザクションを管理するための方法であって、この方法が：
第一の接続を介して、前記の端末デバイスと第一のデータ網内のサービングノードとの間に、最初の通信経路を設定するステップ；
前記の第一のデータ網内の前記のサービングノードの所に提供される前記のデータ網アプリケーションのデータベースから少なくとも一つのデータ網アプリケーションを識別するステップ；
前記の端末デバイスと第二のデータ網内の前記の識別されたデータ網アプリケーションの少なくとも一つとの間で代替の接続を介して１つの通信経路を遂行するように前記端末デバイスを再構成するための情報を前記の第一のデータ網内の前記のサービングノードから受信するステップ；および
ユーザからの選択信号に応答して、前記の代替の接続を介して前記の識別されたデータ網アプリケーションの選択された一つに前記端末デバイスを自動的に接続するステップを含むことを特徴とするトランザクションを管理するための方法。
【請求項２０】
前記の選択されたデータ網アプリケーションが、前記の第二のデータ網内のサービングノードの所で動作することを特徴とする請求項１９のトランザクションを管理するための方法。
【請求項２１】
前記の第一および前記の第二のデータ網内のサービングノードが共通ノードとして具現されることを特徴とする請求項２０のトランザクションを管理するための方法。
【請求項２２】
ユーザの信号に応答して前記の代替の接続を自動的に切断するステップ；および
前記の端末デバイスを、前記の端末デバイスと識別されたデータ網間の予め選択された接続の遂行ができるように再構成するステップがさらに含まれることを特徴とする請求項１９のトランザクションを管理するための方法。
【請求項２３】
前記の端末デバイスを自動的に再構成するステップが、さらに、前記の予め選択された接続の遂行を実行するステップを含むことを特徴とする請求項２２のトランザクションを管理するための方法。
【請求項２４】
通信経路を介して端末デバイスとデータ網内のサービングノードとの間のトランザクションを管理するための方法であって、この方法が：
第一の接続を介して、前記の端末デバイスと第一のデータ網内のサービングノードの間に、最初の通信経路を設定するステップ；
前記の第一のデータ網内の前記のサービングノードの所に提供されるデータベースからオフラインフォームアプリケーションを選択するステップ；
前記の端末デバイスと第二のデータ網内の前記の選択されたオフラインフォームアプリケーションとの間で第二の接続を介して１つの通信経路を遂行するように前記端末デバイスを再構成するための情報を前記の第一のデータ網内の前記のサービングノードから、受信するステップ；および
ユーザからの選択信号に応答して、前記の端末デバイスを前記の選択されたオフラインフォームアプリケーションに自動的に接続するステップを含むことを特徴とするトランザクションを管理するための方法。
【請求項２５】
前記の第一のデータ網内の前記のサービングノードから前記の端末デバイスに前記のオフラインフォームアプリケーションと関連するオフラインフォームをダウンロードするステップがさらに含まれることを特徴とする請求項２４のトランザクションを管理するための方法。
【請求項２６】
ユーザによる処理の後に、前記のダウンロードされたオフラインフォームを、前記の端末デバイスから前記の選択されたオフラインフォームアプリケーションにアップロードするステップがさらに含まれることを特徴とする請求項２４のトランザクションを管理するための方法。
【請求項２７】
ユーザの信号に応答して前記の選択されたオフラインフォームアプリケーションへの前記の接続を自動的に切断するステップ；および
前記の端末デバイスを、前記の端末デバイスと識別されたデータ網との間の予め選択された接続を遂行できるように再構成するステップがさらに含まれることを特徴とする請求項２４のトランザクションを管理するための方法。
【請求項２８】
前記の端末デバイスを自動的に再構成するステップが、さらに、前記の予め選択された接続の前記の遂行を実行するステップを含むことを特徴とする請求項２７のトランザクションを管理するための方法。
【請求項２９】
前記のオフラインフォームアプリケーションが、前記の第二のデータ網内のサービングノードの所で動作することを特徴とする請求項２４のトランザクションを管理するための方法。
【請求項３０】
前記の第一および前記の第二のデータ網内のサービングノードが共通ノードに具現されることを特徴とする請求項２９のトランザクションを管理するための方法。
【請求項３１】
端末デバイスと、少なくとも一つの情報ソース／プロセッサとの間の接続を管理するための方法であって、少なくとも二つの前記の接続が別個の通信網を介して遂行され、この方法が：
所定の接続が構成されている通信網以外の通信網を介して、情報ソース／プロセッサに接続することを指示する信号を認識するステップ；
前記の他の通信網を介して、前記の端末デバイスに指示して、前記の情報ソース／プロセッサへの接続を遂行するステップ；および
前記の他の通信網を介しての前記の情報ソース／プロセッサとの接続が終端したとき、ユーザのインストラクションに応答して前記の端末デバイスが、前記の通信網の代替の一つの網を介しての接続を実現できるように、前記の端末デバイス内の接続基準を自動的に再構成するステップを含むことを特徴とする接続を管理するための方法。
【請求項３２】
前記の認識ステップが、前記の端末デバイスが与えられたソース／プロセッサに接続された時点で起こることを特徴とする請求項３１の接続を管理するための方法。
【請求項３３】
前記の端末デバイスの所のユーザによって前記の与えられたソース／プロセッサから情報項目が選択され、さらに、前記の選択された情報項目が前記のソース／プロセッサから前記の端末デバイスにダウンロードされるステップが含まれることを特徴とする請求項３１の接続を管理するための方法。
【請求項３４】
前記の接続を実行する方法が、さらに、前記の選択された情報項目を前記の端末デバイスから前記の他の情報ソース／プロセッサにアップロードするステップを含むことを特徴とする請求項３３の接続を管理するための方法。
【請求項３５】
前記の選択された情報項目が、前記の端末デバイスの所のユーザによって、前記の他の情報ソース／プロセッサにアップロードする前に処理されることを特徴とする請求項３４の接続を管理するための方法。
【請求項３６】
前記の与えられたソース／プロセッサに指示して、前記の端末デバイスに、前記の他の情報ソース／プロセッサへの接続を遂行するステップを可能にするための構成データをダウンロードするステップがさらに含まれることを特徴とする請求項３２の接続を管理するための方法。
【請求項３７】
前記の他のソース／プロセッサに指令して、前記の端末デバイスに、前記の端末デバイス内の以前の接続基準を自動的に回復する前記のステップを可能にするための構成データをダウンロードするステップがさらに含まれることを特徴とする請求項３２の接続を管理するための方法。
【請求項３８】
オンライン情報トランザクションにおいてある種のデータのセキュリティを向上させるための方法であって、この方法が：
前記の情報トランザクションを、前記のある種のデータから成る第一の部分と、残りの部分とに二分するステップを含み、ここで、この残りの部分は、端末デバイスと公衆情報サーバとの間の公衆オンライン通信接続を介して遂行され、この方法がさらに
前記の第一の部分を、前記の端末デバイスとプライベート情報サーバとの間の機密なプライベートオンライン通信接続を介して遂行するステップ；および
前記の端末デバイス内の網アクセス手段を、前記の公衆接続と前記のプライベート接続の間でスイッチするように自動的に再構成するステップを含むことを特徴とするある種のデータのセキュリティを向上させるための方法。